(57)【特許請求の範囲】
【請求項１】
外形が正方形（ＨＧＡＢ）を成し、周囲が４つの側縁（ＨＧ，ＧＡ，ＡＢ，ＢＨ）に縁取られており、裏面に粘着剤が部分的に塗着されている粘着施工性タイルカーペットにおいて、
周囲を縁取る４つの側縁（ＨＧ，ＧＡ，ＡＢ，ＢＨ）の中の１つの向き合う側縁（ＨＧ）の中点（Ｐ）と側縁（ＡＢ）の中点（Ｑ）を結んで正方形（ＨＧＡＢ）を２等分する第一２等分線（ＰＱ）と、もう１つの向き合う側縁（ＧＡ）の中点（Ｒ）と側縁（ＢＨ）の中点（Ｓ）を結んで正方形（ＨＧＡＢ）を２等分する第二２等分線（ＲＳ）と、正方形（ＨＧＡＢ）を２等分する第一対角線（ＡＨ）と第二対角線（ＧＢ）との２本の対角線によってタイルカーペットの裏面が２本の２等分線と２本の対角線が交叉する中心点を共通頂点（Ｏ）とし且つその共通頂点（Ｏ）が角の頂点である４５度の夾角を持つ直角２等辺三角形状を成す第一区画（１１）と第二区画（１２）と第三区画（１３）と第四区画（１４）と第五区画（１５）と第六区画（１６）と第七区画（１７）と第八区画（１８）の８個の区画に等分されており、
その８個の直角２等辺三角形状区画（１１〜１８）の中の共通頂点（Ｏ）を中心とする回転方向においてそれぞれ１個の直角２等辺三角形状区画を挟んで交互に続き且つ共通頂点（Ｏ）が角の頂点である４５度の夾角を持つ４個の直角２等辺三角形状区画（１１，１３，１５，１７）から成る第一区画群と、その第一区画群の中の１個の直角２等辺三角形状区画を挟んで交互に続き且つ共通頂点（Ｏ）が角の頂点である４５度の夾角を持つ残りの４個の直角２等辺三角形状区画（１２，１４，１６，１８）から成る第二区画群との２つの区画群の中の何れか一方の区画群（１１，１３，１５，１７または１２，１４，１６，１８）の４個の各区画の少なくとも一部分に粘着剤が塗着された塗着部位が介在し、
その少なくとも一部分に粘着剤が塗着された塗着部位が介在する４個の各区画から成る一方の区画群に対応する残りの他方の区画群の４個の各区画の各内部において、タイルカーペットの裏面を８個の直角２等辺三角形状区画に等分している２本の２等分線（ＰＱ，ＲＳ）と２本の対角線（ＡＨ，ＧＢ）とから成る４本の分割線（ＰＱ，ＲＳ，ＡＨ，ＧＢ）の中の全ての分割線を境界線として前記塗着部位が線対称に向き合う部位が、粘着剤が塗着されていない無塗着部位となっていることを特徴とする粘着施工性タイルカーペット。
【請求項２】
第一区画群（１１，１３，１５，１７）と第二区画群（１２，１４，１６，１８）との２つの区画群の中の何れか一方の区画群の４個の区画（１２，１４，１６，１８）の中の少なくとも１個の区画（１２）の内部が複数個の小区画（ｅ１，ｅ２）に細分されており、
その複数個の小区画の中に塗着部位の介在する塗着小区画（ｅ１）と小区画の全面を無塗着部位が占める無塗着小区画（ｅ２）が介在しており、
その第一区画群と第二区画群との２つの区画群の中の何れか一方の区画群（１２，１４，１６，１８）の中の塗着小区画と無塗着小区画を含む複数個の小区画に細分されている区画（１２）を間に挟む２本の分割線の中の２本の分割線（ＧＢ，ＲＳ）又は何れか１本の分割線（ＧＢ）を境界線として線対称に向き合う他方の区画群（１１，１３，１５，１７）の区画（１１と１３，又は１１）の内部に前記一方の区画群（１２，１４，１６，１８）の中の塗着小区画と無塗着小区画を含む複数個の小区画に細分されている区画（１２）の中の無塗着小区画（ｅ２）に分割線（ＧＢとＲＳ，又はＧＢ）を境界線として線対称に向き合う何れかの部位に粘着剤が塗着されていない無塗着部位（ｆとｇ，又はｆ）を有している前掲請求項１に記載の粘着施工性タイルカーペット。
【請求項３】
第一区画群（１１，１３，１５，１７）と第二区画群（１２，１４，１６，１８）との２つの区画群の中の何れか一方の区画群の４個の区画（１２，１４，１６，１８）の中の少なくとも１個の区画（１２）の内部が３個以上の複数個の小区画（ｅ１，ｅ２，ｅ３，ｅ４）に細分されており、
その小区画（ｅ１，ｅ２，ｅ３，ｅ４）の中に塗着部位の介在する１個又は複数個の塗着小区画（ｅ１，ｅ４）と小区画の全面を無塗着部位が占める複数個の無塗着小区画（ｅ２，ｅ３）が介在しており、
その第一区画群と第二区画群との２つの区画群の中の何れか一方の区画群の中の塗着小区画と無塗着小区画を含む３個以上の複数個の小区画に細分されている区画（１２）を間に挟む２本の分割線の中の２本の分割線（ＧＢ，ＲＳ）又は何れか１本の分割線（ＧＢ）を境界線として線対称に向き合う他方の区画群（１１，１３，１５，１７）の区画（１１と１３，又は１１）の内部に前記一方の区画群（１２，１４，１６，１８）の中の塗着小区画と無塗着小区画を含む複数個の小区画に細分されている区画（１２）の中の１個の無塗着小区画（ｅ２）又は複数個の無塗着小区画（ｅ２，ｅ３）に分割線（ＧＢとＲＳ，又はＧＢ）を境界線として線対称に向き合う何れかの部位に粘着剤が塗着されていない無塗着部位を有している前掲請求項１に記載の粘着施工性タイルカーペット。
【請求項４】
タイルカーペットの裏面の等分されている８個の各２等辺三角形状区画（１１〜１８）の内部が、塗着部位と無塗着部位とから成る８個以上の小区画に細分されている前掲請求項１〜３の何れか１項に記載の粘着施工性タイルカーペット。
【請求項５】
外形が正方形（ＨＧＡＢ）を成し、周囲が４つの側縁（ＨＧ，ＧＡ，ＡＢ，ＢＨ）に縁取られており、裏面に粘着剤が部分的に塗着されている粘着施工性タイルカーペットにおいて、
周囲を縁取る４つの側縁（ＨＧ，ＧＡ，ＡＢ，ＢＨ）の中の１つの向き合う側縁（ＨＧ）の中点（Ｐ）と側縁（ＡＢ）の中点（Ｑ）を結んで正方形（ＨＧＡＢ）を２等分する第一２等分線（ＰＱ）と、もう１つの向き合う側縁（ＧＡ）の中点（Ｒ）と側縁（ＢＨ）の中点（Ｓ）を結んで正方形（ＨＧＡＢ）を２等分する第二２等分線（ＲＳ）と、正方形（ＨＧＡＢ）を２等分する第一対角線（ＡＨ）と第二対角線（ＧＢ）との２本の対角線によってタイルカーペットの裏面が２本の２等分線と２本の対角線が交叉する中心点を共通頂点（Ｏ）として直角２等辺三角形状を成す第一区画（１１）と第二区画（１２）と第三区画（１３）と第四区画（１４）と第五区画（１５）と第六区画（１６）と第七区画（１７）と第八区画（１８）の８個の区画に等分されており、
その８個の直角２等辺三角形状区画（１１〜１８）の中の共通頂点（Ｏ）を中心とする回転方向においてそれぞれ１個の直角２等辺三角形状区画を挟んで交互に続く４個の直角２等辺三角形状区画（１１，１３，１５，１７）から成る第一区画群と、その第一区画群の中の１個の直角２等辺三角形状区画を挟んで交互に続く残りの４個の直角２等辺三角形状区画（１２，１４，１６，１８）から成る第二区画群との２つの区画群の中の何れか一方の区画群（１１，１３，１５，１７または１２，１４，１６，１８）の４個の各区画の少なくとも一部分に粘着剤が塗着された塗着部位が介在し、
その少なくとも一部分に粘着剤が塗着された塗着部位が介在する４個の各区画から成る一方の区画群に対応する残りの他方の区画群の４個の各区画の各内部において、タイルカーペットの裏面を８個の直角２等辺三角形状区画に等分している２本の２等分線（ＰＱ，ＲＳ）と２本の対角線（ＡＨ，ＧＢ）とから成る４本の分割線（ＰＱ，ＲＳ，ＡＨ，ＧＢ）の中の全ての分割線を境界線として前記塗着部位が線対称に向き合う部位が、粘着剤が塗着されていない無塗着部位となっていることを特徴とする粘着施工性タイルカーペット。
【発明の詳細な説明】
【技術分野】
【０００１】
本発明は、裏面に粘着剤が塗着されており、床面に剥離可能に接着施工し得る粘着施工性タイルカーペットに関するものである。
【背景技術】
【０００２】
従来の粘着施工性タイルカーペットでは、流通過程において、裏面に塗着した粘着剤の塗膜に塵埃が付着して粘着施工性が損なわれることがないようにするために、又、裏面に塗着した粘着剤が付着して周囲が汚染されることがないようにするために、その塗着した粘着剤の塗膜が離形紙によって被覆保護されている。
【０００３】
しかし、その離形紙は、タイルカーペットの床面への接着施工後には廃棄されるものであり、その廃棄処理に手間取るばかりではなく、タイルカーペットのコスト低減の点でも、離形紙を使用せずに済むようにすることが望まれた。
【０００４】
その離形紙を使用せずに済む方法として、特許文献１に掲載の粘着剤対称塗着法と、特許文献２に掲載の粘着剤縞状塗着法が知られている。
【先行技術文献】
【特許文献】
【０００５】
【特許文献１】特開昭６１−２７３３１５号公報（特許第１９３７８３０号）
【特許文献２】特開平０７−１１３３１１号公報（特許第２６９３３６２号）
【発明の概要】
【発明が解決しようとする課題】
【０００６】
前記特許文献１に掲載の粘着剤対称塗着法によると、図７（ａ）に示すように、正方形ＨＧＡＢを成すタイルカーペットの裏面は、その上側縁ＧＡ（ＣＥ）の中点Ｒと下側縁ＢＨ（ＦＤ）の中点Ｓを結んで正方形ＨＧＡＢを２等分する縦向き２等分線ＲＳと、左側縁ＨＧ（ＤＣ）の中点Ｐと右側縁ＡＢ（ＥＦ）の中点Ｑを結んで正方形ＨＧＡＢを２等分する横向き２等分線ＰＱによって、左上側正方形ＯＰＧＲと右上側正方形ＯＲＡＱと右下側正方形ＯＱＢＳと左下側正方形ＯＳＨＰと４個の正方形に４等分される。
それらの４個の正方形ＯＰＧＲとＯＲＡＱとＯＱＢＳとＯＳＨＰは、それぞれ斜め方向に位置する中点を結ぶ４本の２等分斜線ＰＲとＲＱとＱＳとＳＰによって、縦横２本の２等分線ＰＱとＲＳが交叉する中心点を共通頂点Ｏとして含む直角２等辺三角形ａ（△ＰＲＯ，△ＲＱＯ，△ＱＳＯ，△ＳＰＯ）と、頂点Ｇ（Ａ，Ｂ，Ｈ）を含む直角２等辺三角形△ＧＲＰ（△ＡＱＲ，△ＢＳＱ，△ＨＰＳ）にそれぞれ２等分される。
その頂点（Ｇ，Ａ，Ｂ，Ｈ）を含む４個の直角２等辺三角形（△ＧＲＰ，△ＡＱＲ，△ＢＳＱ，△ＨＰＳ）は、それぞれ２等分斜線（ＰＲ，ＲＱ，ＱＳ，ＳＰ）に平行な斜線によって頂点Ｇ（Ａ，Ｂ，Ｈ）を含む小さな直角２等辺三角形ｃと、その平行な斜線と２等分斜線（ＰＲ，ＲＱ，ＱＳ，ＳＰ）に挟まれた等脚台形ｂに分割される。
【０００７】
図７（ａ）に示すように、左上側正方形ＯＰＧＲ内の直角２等辺三角形ａ１と小さな直角２等辺三角形ｃ１と等脚台形ｂ１と、右上側正方形ＯＲＡＱ内の直角２等辺三角形ａ２と小さな直角２等辺三角形ｃ２と等脚台形ｂ２とは、縦向き２等分線ＲＳを境に左右線対称になっている。右上側正方形ＯＲＡＱ内の直角２等辺三角形ａ２と小さな直角２等辺三角形ｃ２と等脚台形ｂ２と、右下側正方形ＯＱＢＳ内の直角２等辺三角形ａ３と小さな直角２等辺三角形ｃ３と等脚台形ｂ３とは、横向き２等分線ＰＱを境に上下線対称になっている。右下側正方形ＯＱＢＳ内の直角２等辺三角形ａ３と小さな直角２等辺三角形ｃ３と等脚台形ｂ３と、左下側正方形ＯＳＨＰ内の直角２等辺三角形ａ４と小さな直角２等辺三角形ｃ４と等脚台形ｂ４とは、縦向き２等分線ＲＳを境に左右線対称になっている。左下側正方形ＯＳＨＰ内の直角２等辺三角形ａ４と小さな直角２等辺三角形ｃ４と等脚台形ｂ４と、左上側正方形ＯＰＧＲ内の直角２等辺三角形ａ１と小さな直角２等辺三角形ｃ１と等脚台形ｂ１とは、横向き２等分線ＰＱを境に上下線対称になっている。
【０００８】
粘着剤は、図７（ａ）に霜降り模様状に点描して示すように、左上側正方形ＯＰＧＲ内の直角２等辺三角形ａ１と小さな直角２等辺三角形ｃ１と、右上側正方形ＯＲＡＱ内の等脚台形ｂ２と、右下側正方形ＯＱＢＳ内の直角２等辺三角形ａ３と小さな直角２等辺三角形ｃ３と、左下側正方形ＯＳＨＰ内の等脚台形ｂ４にのみ塗着されている。図７（ａ）に示すタイルカーペットと同じタイルカーペットを、図７（ｂ）に示すように、霜降り模様状に点描して示される粘着剤の塗着部位の配置を変えずに図７（ａ）に示すタイルカーペットに隣り合わせに並べ、それら２枚のタイルカーペットの向き合う側縁ＡＢとＣＤを突き合わせ、その図７（ｂ）に示すタイルカーペットを裏返して図７（ａ）に示すタイルカーペットに重ね合わせると、その図７（ｂ）に示すタイルカーペットの霜降り模様状に点描して示される粘着剤の塗着部位ａ１’とｃ１’とｂ２’とａ３’とｃ３’とｂ４’は、それぞれ図７（ａ）に示すタイルカーペットの粘着剤の無塗着部位ａ２とｃ２とｂ１とａ４とｃ４とｂ３に重なり合う。図７（ｂ）に示すタイルカーペットの粘着剤の無塗着部位ｂ１’とａ２’とｃ２’とｂ３’とａ４’とｃ４’は、それぞれ図７（ａ）に示すタイルカーペットの霜降り模様状に点描して示される粘着剤の塗着部位ｂ２とａ１とｃ１とｂ４とａ３とｃ３に重なり合うことになる。その場合、重なり合う一方のタイルカーペットの粘着剤の無塗着部位は、他方のタイルカーペットの粘着剤の塗着部位に対して離形材の機能をはたすことになる。その結果、離形紙を使用せずに、２枚のタイルカーペットを剥離可能に裏面同士を向かい合わせに重ね合わせて梱包することが可能となる。
【０００９】
然るに、図７（ｃ）に示すように、縦横２本の２等分線ＰＱとＲＳが交叉する共通頂点Ｏを中心にして図７（ａ）に示すタイルカーペットを９０度回転移動して縦横の２等分線ＰＱとＲＳの位置を変え、図７（ｂ）に示すタイルカーペットに隣り合わせに並べると、図７（ｂ）に示すタイルカーペットの霜降り模様状に点描して示される粘着剤の塗着部位ａ１’とｃ１’とｂ２’とａ３’とｃ３’とｂ４’と、図７（ｃ）に示すタイルカーペットの霜降り模様状に点描して示される粘着剤の塗着部位ａ１とｃ１とｂ４とａ３とｃ３とｂ２とは、それらの向き合う図７（ｂ）に示すタイルカーペットの側縁ＥＦと図７（ｃ）に示すタイルカーペットの側縁Ｈ’Ｂ’を境に左右対称になる。
その結果、それらのタイルカーペットの向き合う側縁ＥＦと側縁Ｈ’Ｂ’を突き合わせ、その図７（ｃ）に示すタイルカーペットを裏返して図７（ｂ）に示すタイルカーペットに重ね合わせると、その図７（ｃ）に示すタイルカーペットの霜降り模様状に点描して示される粘着剤の塗着部位ａ１とｃ１とｂ４とａ３とｃ３とｂ２は、それぞれ図７（ｂ）に示すタイルカーペットの霜降り模様状に点描して示される粘着剤の塗着部位ａ１’とｃ１’とｂ２’とａ３’とｃ３’とｂ４’重なり合い、それら図７（ｃ）と図７（ｂ）に示す２枚のタイルカーペットに容易には剥離し得なくなる。
【００１０】
即ち、前記特許文献１に掲載されている粘着剤対称塗着法に係るタイルカーペット（図７）では、縦横の方向を確認しながら裏面同士を貼り合わせて梱包しなければならず、その梱包の際に縦横の方向を見間違えれば、施工時に２枚のタイルカーペットに分離することは出来ず、床面に粘着施工し得なくなると言う不都合が生じる。
【００１１】
前記特許文献２に掲載の粘着剤縞状塗着法によると、図８（ａ）と（ｂ）に示すように、タイルカーペットの裏面には、粘着剤が塗着された複数条の霜降り模様状に点描して示される帯縞（ａ〜ｋ）が斜めに並んだ斜縞模様が描出される。図８（ａ）と（ｂ）に示されるように、帯縞（ａ〜ｅ）の傾斜方向を同じ方向に合わせて２枚のタイルカーペットＡＢＨＧとＥＦＤＣを左右隣り合わせに並べ、その向き合う側縁ＡＢとＣＤを突き合わせ、その図８（ｂ）に示すタイルカーペットを裏返して図８（ａ）に示すタイルカーペットに裏面同士を向かい合わせに重ね合わせると、図８（ｂ）に霜降り模様状に点描して示されるタイルカーペットの粘着剤の塗着された塗着部位の帯縞ａ’とｂ’とｃ’とｄ’とｅ’は、図８ａに霜降り模様状に点描して示されるタイルカーペットの粘着剤の塗着された塗着部位の帯縞ａとｂとｃとｄとｅと粘着剤の塗着されていない無塗着部位の帯縞ｆとｇとｈとｉとｊとｋに交互に粘着し、それら重なり合う一方のタイルカーペットの無塗着部位の帯縞ｆ（ｆ’）とｇ（ｇ’）とｈ（ｈ’）とｉ（ｉ’）とｊ（ｊ’）とｋ（ｋ’）は、その重なり合う他方のタイルカーペットの塗着部位ａ（ａ’）とｂ（ｂ’）とｃ（ｃ’）とｄ（ｄ’）とｅ（ｅ’）に対して、離形紙の機能をはたすことになる。
それらのタイルカーペットの粘着剤の粘着力を加減することによって、２枚のタイルカーペットＡＢＨＧとＥＦＤＣの間が剥離可能になる。
【００１２】
然るに、図８（ｃ）に示すように、図８（ａ）に示すタイルカーペットを９０度回転移動して帯縞（ａ〜ｋ）の傾斜方向を変え、図８（ｂ）に示すタイルカーペットに隣り合わせに並べ、その向き合う側縁ＥＦとＨ’Ｂ’を突き合わせ、その図８（ｃ）に示すタイルカーペットを裏返して図８（ｂ）に示すタイルカーペットに裏面同士を向かい合わせに重ね合わせると、図８（ｃ）に示すタイルカーペットの粘着剤の塗着部位の帯縞ａとｂとｃとｄとｅは、それぞれ図８（ｂ）に示すタイルカーペットの粘着剤の塗着部位の帯縞ａ’とｂ’とｃ’とｄ’とｅ’に重なり合うことになる。その場合、図８（ｃ）に示すタイルカーペットの粘着剤の塗着部位の帯縞ａとｂとｃとｄとｅは、図８（ｂ）に示すタイルカーペットの粘着剤の無塗着部位の帯縞ｆ’とｇ’とｈ’とｉ’とｊ’とｋ’に重なり合わない。
【００１３】
そのように、タイルカーペットの縦横の向きによって、塗着部位同士が粘着することも起きるので、前記特許文献２に掲載されている粘着剤縞状塗着法に係るタイルカーペット（図８）でも、縦横の方向を確認しながら裏面同士を貼り合わせて梱包しなければ、前記特許文献１に掲載されている粘着剤対称塗着法に係るタイルカーペットと同様に、施工時に２枚のタイルカーペットに分離することは出来ず、床面に粘着施工し得なくなると言う不都合が生じる。
【００１４】
そこで本発明は、２枚のタイルカーペットの一方を裏返して重ね合わせて梱包する際に、それら２枚のタイルカーペットの縦横の方向を確認する必要がなく、施工時に２枚のタイルカーペットに剥離することが出来る粘着施工性タイルカーペットを得ることを目的とする。
【課題を解決するための手段】
【００１５】
本発明に係る粘着施工性タイルカーペットは、
（イ）  外形が正方形ＨＧＡＢを成し、周囲が４つの側縁ＨＧとＧＡとＡＢとＢＨに縁取られており、裏面に粘着剤が部分的に塗着されている粘着施工性タイルカーペットにおいて、
（ロ）  周囲を縁取る４つの側縁ＨＧとＧＡとＡＢとＢＨの中の１つの向き合う側縁ＨＧの中点Ｐと側縁ＡＢの中点Ｑを結んで正方形ＨＧＡＢを２等分する第一２等分線ＰＱと、もう１つの向き合う側縁ＧＡの中点Ｒと側縁ＢＨの中点Ｓを結んで正方形ＨＧＡＢを２等分する第二２等分線ＲＳと、正方形ＨＧＡＢを２等分する第一対角線ＡＨと第二対角線ＧＢとの２本の対角線によってタイルカーペットの裏面が２本の２等分線と２本の対角線が交叉する中心点を共通頂点Ｏとし且つその共通頂点Ｏが角の頂点である４５度の夾角を持つ直角２等辺三角形状を成す第一区画（△ＰＧＯ・１１）と第二区画（△ＧＲＯ・１２）と第三区画（△ＲＡＯ・１３）と第四区画（△ＡＱＯ・１４）と第五区画（△ＱＢＯ・１５）と第六区画（△ＢＳＯ・１６）と第七区画（△ＳＨＯ・１７）と第八区画（△ＨＰＯ・１８）の８個の区画に等分されており、
（ハ）  その８個の直角２等辺三角形状区画（１１〜１８）の中の共通頂点Ｏを中心とする回転方向においてそれぞれ１個の直角２等辺三角形状区画を挟んで交互に続き且つ共通頂点Ｏが角の頂点である４５度の夾角を持つ４個の直角２等辺三角形状区画（１１，１３，１５，１７）から成る第一区画群と、その第一区画群の中の１個の直角２等辺三角形状区画を挟んで交互に続き且つ共通頂点Ｏが角の頂点である４５度の夾角を持つ残りの４個の直角２等辺三角形状区画（１２，１４，１６，１８）から成る第二区画群との２つの区画群の中の何れか一方の区画群（１１，１３，１５，１７または１２，１４，１６，１８）の４個の各区画の少なくとも一部分に粘着剤が塗着された塗着部位が介在し、
（ニ）  その少なくとも一部分に粘着剤が塗着された塗着部位が介在する４個の各区画から成る一方の区画群に対応する残りの他方の区画群の４個の各区画の各内部において、タイルカーペットの裏面を８個の直角２等辺三角形状区画に等分している２本の２等分線ＰＱとＲＳと２本の対角線ＡＨとＧＢとから成る４本の分割線（ＰＱ，ＲＳ，ＡＨ，ＧＢ）の中の全ての分割線を境界線として前記塗着部位が線対称に向き合う部位が、粘着剤が塗着されていない無塗着部位となっていることを第１の特徴とする。
ここに、塗着部位が無塗着部位に線対称に向き合うことになる４本の分割線（ＰＱ，ＲＳ，ＡＨ，ＧＢ）とは、隣り合って向き合う第一区画（△ＰＧＯ・１１）と第二区画（△ＧＲＯ・１２）の間では第二対角線ＧＢを意味し、隣り合って向き合う第二区画（△ＧＲＯ・１２）と第三区画（△ＲＡＯ・１３）の間では第二２等分線ＲＳを意味し、隣り合って向き合う第三区画（△ＲＡＯ・１３）と第四区画（△ＡＱＯ・１４）の間では第一対角線ＡＨを意味し、隣り合って向き合う第四区画（△ＡＱＯ・１４）と第五区画（△ＱＢＯ・１５）の間では第一２等分線ＰＱを意味し、隣り合って向き合う第五区画（△ＱＢＯ・１５）と第六区画（△ＢＳＯ・１６）の間では第二対角線ＧＢを意味し、隣り合って向き合う第六区画（△ＢＳＯ・１６）と第七区画（△ＳＨＯ・１７）の間では第二２等分線ＲＳを意味し、隣り合って向き合う第七区画（△ＳＨＯ・１７）と第八区画（△ＨＰＯ・１８）の間では第一対角線ＡＨを意味し、隣り合って向き合う第八区画（△ＨＰＯ・１８）と第一区画（△ＰＧＯ・１１）の間では第一２等分線ＰＱを意味する。
【００１６】
本発明に係る粘着施工性タイルカーペットの第２の特徴は、上記第１の特徴に加えて、第一区画群（１１，１３，１５，１７）と第二区画群（１２，１４，１６，１８）との２つの区画群の中の何れか一方の区画群の４個の区画（１２，１４，１６，１８）の中の少なくとも１個の区画（１２）の内部が複数個の小区画（ｅ１，ｅ２）に細分されており、
その複数個の小区画の中に塗着部位の介在する塗着小区画（ｅ１）と小区画の全面を無塗着部位が占める無塗着小区画（ｅ２）が介在しており、
その第一区画群と第二区画群との２つの区画群の中の何れか一方の区画群（１２，１４，１６，１８）の中の塗着小区画と無塗着小区画を含む複数個の小区画に細分されている区画（１２）を間に挟む２本の分割線の中の２本の分割線（ＧＢ，ＲＳ）又は何れか１本の分割線（ＧＢ）を境界線として線対称に向き合う他方の区画群（１１，１３，１５，１７）の区画（１１と１３，又は１１）の内部に前記一方の区画群（１２，１４，１６，１８）の中の塗着小区画と無塗着小区画を含む複数個の小区画に細分されている区画（１２）の中の無塗着小区画（ｅ２）に分割線（ＧＢとＲＳ，又はＧＢ）を境界線として線対称に向き合う何れかの部位に粘着剤が塗着されていない無塗着部位（ｆとｇ，又はｆ）を有している点にある。
【００１７】
本発明に係る粘着施工性タイルカーペットの第３の特徴は、上記第１の特徴に加えて、第一区画群（１１，１３，１５，１７）と第二区画群（１２，１４，１６，１８）との２つの区画群の中の何れか一方の区画群の４個の区画（１２，１４，１６，１８）の中の少なくとも１個の区画（１２）の内部が３個以上の複数個の小区画（ｅ１，ｅ２，ｅ３，ｅ４）に細分されており、
その小区画（ｅ１，ｅ２，ｅ３，ｅ４）の中に塗着部位の介在する１個又は複数個の塗着小区画（ｅ１，ｅ４）と小区画の全面を無塗着部位が占める複数個の無塗着小区画（ｅ２，ｅ３）が介在しており、
その第一区画群と第二区画群との２つの区画群の中の何れか一方の区画群の中の塗着小区画と無塗着小区画を含む３個以上の複数個の小区画に細分されている区画（１２）を間に挟む２本の分割線の中の２本の分割線（ＧＢ，ＲＳ）又は何れか１本の分割線（ＧＢ）を境界線として線対称に向き合う他方の区画群（１１，１３，１５，１７）の区画（１１と１３，又は１１）の内部に前記一方の区画群（１２，１４，１６，１８）の中の塗着小区画と無塗着小区画を含む複数個の小区画に細分されている区画（１２）の中の１個の無塗着小区画（ｅ２）又は複数個の無塗着小区画（ｅ２，ｅ３）に分割線（ＧＢとＲＳ，又はＧＢ）を境界線として線対称に向き合う何れかの部位に粘着剤が塗着されていない無塗着部位（ｆ１，ｆ１とｇ１，ｆ２，ｆ２とｇ１，ｆ１とｆ２，ｆ１とｆ２とｇ１，ｆ１とｆ２とｇ２，ｆ１とｇ２，ｆ２とｇ２，ｇ１，ｇ２，ｆ１とｆ２とｇ１とｇ２）を有している点にある。
【００１８】
本発明に係る粘着施工性タイルカーペットの第４の特徴は、上記第１と第２と第３の何れか１つの特徴に加えて、タイルカーペットの裏面の等分されている８個の各２等辺三角形状区画（１１〜１８）の内部が、塗着部位と無塗着部位とから成る８個以上の小区画に細分されている点にある。
【００１９】
本発明に係る粘着施工性タイルカーペットの第５の特徴は、外形が正方形ＨＧＡＢを成し、周囲が４つの側縁ＨＧ，ＧＡ，ＡＢ，ＢＨに縁取られており、裏面に粘着剤が部分的に塗着されている粘着施工性タイルカーペットにおいて、周囲を縁取る４つの側縁ＨＧ，ＧＡ，ＡＢ，ＢＨの中の１つの向き合う側縁ＨＧの中点Ｐと側縁ＡＢの中点Ｑを結んで正方形ＨＧＡＢを２等分する第一２等分線ＰＱと、もう１つの向き合う側縁ＧＡの中点Ｒと側縁ＢＨの中点Ｓを結んで正方形ＨＧＡＢを２等分する第二２等分線ＲＳと、正方形ＨＧＡＢを２等分する第一対角線ＡＨと第二対角線ＧＢとの２本の対角線によってタイルカーペットの裏面が２本の２等分線と２本の対角線が交叉する中心点を共通頂点Ｏとして直角２等辺三角形状を成す第一区画（１１）と第二区画（１２）と第三区画（１３）と第四区画（１４）と第五区画（１５）と第六区画（１６）と第七区画（１７）と第八区画（１８）の８個の区画に等分されており、その８個の直角２等辺三角形状区画（１１〜１８）の中の共通頂点Ｏを中心とする回転方向においてそれぞれ１個の直角２等辺三角形状区画を挟んで交互に続く４個の直角２等辺三角形状区画（１１，１３，１５，１７）から成る第一区画群と、その第一区画群の中の１個の直角２等辺三角形状区画を挟んで交互に続く残りの４個の直角２等辺三角形状区画（１２，１４，１６，１８）から成る第二区画群との２つの区画群の中の何れか一方の区画群（１１，１３，１５，１７または１２，１４，１６，１８）の４個の各区画の少なくとも一部分に粘着剤が塗着された塗着部位が介在し、その少なくとも一部分に粘着剤が塗着された塗着部位が介在する４個の各区画から成る一方の区画群に対応する残りの他方の区画群の４個の各区画の各内部において、タイルカーペットの裏面を８個の直角２等辺三角形状区画に等分している２本の２等分線ＰＱ，ＲＳと２本の対角線ＡＨ，ＧＢとから成る４本の分割線ＰＱ，ＲＳ，ＡＨ，ＧＢの中の全ての分割線を境界線として前記塗着部位が線対称に向き合う部位が、粘着剤が塗着されていない無塗着部位となっている点にある。
その他、粘着施工性タイルカーペットは、タイルカーペットの裏面の粘着剤が塗着されていない無塗着部位が、離形剤の塗膜に被覆されている場合もある。
【発明の効果】
【００２０】
本発明に係る粘着施工性タイルカーペットでは、その裏面が１つの向き合う側縁ＨＧの中点Ｐと側縁ＡＢの中点Ｑを結んで正方形ＨＧＡＢを２等分する第一２等分線ＰＱと、もう１つの向き合う側縁ＧＡの中点Ｒと側縁ＢＨの中点Ｓを結んで正方形ＨＧＡＢを２等分する第二２等分線ＲＳと、正方形ＨＧＡＢを２等分する第一対角線ＡＨと第二対角線ＡＨとの２本の対角線によって、２本の２等分線（ＰＱ，ＲＳ）と２本の対角線（ＡＨ，ＧＢ）が交叉する中心点を共通頂点Ｏとして直角２等辺三角形状を成す第一区画（△ＰＧＯ・１１）と第二区画（△ＧＲＯ・１２）と第三区画（△ＲＡＯ・１３）と第四区画（△ＡＱＯ・１４）と第五区画（△ＱＢＯ・１５）と第六区画（△ＢＳＯ・１６）と第七区画（△ＳＨＯ・１７）と第八区画（△ＨＰＯ・１８）の８個の区画（１１〜１８）に等分されており、それら８個の区画を交互に１区画おきとなる第一区画群（１１，１３，１５，１７）と第二区画群（１２，１４，１６，１８）の一方の区画群の各区画内の粘着剤の塗着されている塗着部位と他方の区画群の各区画内の粘着剤の塗着されていない無塗着部位とを、粘着施工性タイルカーペットの裏面を８個の区画に等分する２本の２等分線と２本の対角線とから成る４本の分割線（ＰＱ，ＲＳ，ＡＨ，ＧＢ）の中の全ての分割線を境に対して線対称に向き合わせになる。
【００２１】
具体的に説明すると、第一区画群（１１，１３，１５，１７）を構成している第一区画（△ＰＧＯ・１１）と第三区画（△ＲＡＯ・１３）と第五区画（△ＱＢＯ・１５）と第七区画（△ＳＨＯ・１７）の無塗着部位と、第二区画群（１２，１４，１６，１８）を構成している第二区画（△ＧＲＯ・１２）と第四区画（△ＡＱＯ・１４）と第六区画（△ＢＳＯ・１６）と第八区画（△ＨＰＯ・１８）の塗着部位とは、全ての分割線（ＰＱ，ＲＳ，ＡＨ，ＧＢ）を境に対して線対称に向き合わせになるか、或いは、第一区画群（１１，１３，１５，１７）を構成している第一区画（△ＰＧＯ・１１）と第三区画（△ＲＡＯ・１３）と第五区画（△ＱＢＯ・１５）と第七区画（△ＳＨＯ・１７）の塗着部位と、第二区画群（１２，１４，１６，１８）を構成している第二区画（△ＧＲＯ・１２）と第四区画（△ＡＱＯ・１４）と第六区画（△ＢＳＯ・１６）と第八区画（△ＨＰＯ・１８）の無塗着部位とは、全ての分割線（ＰＱ，ＲＳ，ＡＨ，ＧＢ）を境に対して線対称に向き合わせになり、或いは又、第一区画群（１１，１３，１５，１７）を構成している第一区画（△ＰＧＯ・１１）と第三区画（△ＲＡＯ・１３）と第五区画（△ＱＢＯ・１５）と第七区画（△ＳＨＯ・１７）の無塗着部位と、第二区画群（１２，１４，１６，１８）を構成している第二区画（△ＧＲＯ・１２）と第四区画（△ＡＱＯ・１４）と第六区画（△ＢＳＯ・１６）と第八区画（△ＨＰＯ・１８）の塗着部位とは、全ての分割線（ＰＱ，ＲＳ，ＡＨ，ＧＢ）を境に対して線対称に向き合わせになると共に、第一区画群（１１，１３，１５，１７）を構成している第一区画（△ＰＧＯ・１１）と第三区画（△ＲＡＯ・１３）と第五区画（△ＱＢＯ・１５）と第七区画（△ＳＨＯ・１７）の塗着部位と、第二区画群（１２，１４，１６，１８）を構成している第二区画（△ＧＲＯ・１２）と第四区画（△ＡＱＯ・１４）と第六区画（△ＢＳＯ・１６）と第八区画（△ＨＰＯ・１８）の無塗着部位とは、全ての分割線（ＰＱ，ＲＳ，ＡＨ，ＧＢ）を境に対して線対称に向かい合わせになる。
【００２２】
更に詳しく説明すると、第一区画群の第一区画（△ＰＧＯ・１１）と第二区画群の第二区画（△ＧＲＯ・１２）とは第二対角線（ＧＢ）を境に対して線対称を成し、第二区画群の第二区画（△ＧＲＯ・１２）と第一区画群の第三区画（△ＲＡＯ・１３）とは第二２等分線（ＲＳ）を境に対して線対称を成し、第一区画群の第三区画（△ＲＡＯ・１３）と第二区画群の第四区画（△ＡＱＯ・１４）とは第一対角線（ＡＨ）を境に対して線対称を成し、第二区画群の第四区画（△ＡＱＯ・１４）と第一区画群の第五区画（△ＱＢＯ・１５）とは第一２等分線（ＰＱ）を境に対して線対称を成し、第一区画群の第五区画（△ＱＢＯ・１５）と第二区画群の第六区画（△ＢＳＯ・１６）とは第二対角線（ＧＢ）を境に対して線対称を成し、第二区画群の第六区画（△ＢＳＯ・１６）と第一区画群の第七区画（△ＳＨＯ・１７）とは第二２等分線（ＲＳ）を境に対して線対称を成し、第一区画群の第七区画（△ＳＨＯ・１７）と第二区画群の第八区画（△ＨＰＯ・１８）とは第一対角線（ＡＨ）を境に対して線対称を成し、第二区画群の第八区画（△ＨＰＯ・１８）と第一区画群の第一区画（△ＰＧＯ・１１）とは第一２等分線（ＰＱ）を境に対して線対称を成している。
従って、本発明によると、第一区画群の第一区画（△ＰＧＯ・１１）の全面を無塗着部位とする場合には第一区画（△ＰＧＯ・１１）と線対称となる第二区画群の第二区画（△ＧＲＯ・１２）の少なくとも一部分は塗着部位とすべきことになり、第二区画群の第二区画（△ＧＲＯ・１２）の何れかの部分を塗着部位とする場合には第二区画（△ＧＲＯ・１２）と線対称となる第一区画群の第三区画（△ＲＡＯ・１３）の全面を無塗着部位にすべきことになり、第一区画群の第三区画（△ＲＡＯ・１３）の全面を無塗着部位とする場合には第三区画（△ＲＡＯ・１３）と線対称となる第二区画群の第四区画（△ＡＱＯ・１４）の少なくとも一部分は塗着部位とすべきことになり、第二区画群の第四区画（△ＡＱＯ・１４）の何れかの部分を塗着部位とする場合には第四区画（△ＡＱＯ・１４）と線対称となる第一区画群の第五区画（△ＱＢＯ・１５）の全面を無塗着部位にすべきことになり、第一区画群の第五区画（△ＱＢＯ・１５）の全面を無塗着部位とする場合には第五区画（△ＱＢＯ・１５）と線対称となる第二区画群の第六区画（△ＢＳＯ・１６）の少なくとも一部分は塗着部位とすべきことになり、第二区画群の第六区画（△ＢＳＯ・１６）の何れかの部分を塗着部位とする場合には第六区画（△ＢＳＯ・１６）と線対称となる第一区画群の第七区画（△ＳＨＯ・１７）の全面を無塗着部位にすべきことになり、第一区画群の第七区画（△ＳＨＯ・１７）の全面を無塗着部位とする場合には第七区画（△ＳＨＯ・１７）と線対称となる第二区画群の第八区画（△ＨＰＯ・１８）の少なくとも一部分は塗着部位とすべきことになり、第二区画群の第八区画（△ＨＰＯ・１８）の何れかの部分を塗着部位とする場合には第八区画（△ＨＰＯ・１８）と線対称となる第一区画群の第一区画（△ＰＧＯ・１１）の全面を無塗着部位にすべきことになる。
【００２３】
そして、向かい合う側縁ＨＧの中点Ｐと側縁ＡＢの中点Ｑを結ぶ第一２等分線ＰＱと、もう１つの向き合う側縁ＧＡの中点Ｒと側縁ＢＨの中点Ｓを結ぶ第二２等分線ＲＳと、第一対角線ＡＨと第二対角線ＧＢとの２本の対角線によって、共通頂点Ｏの回りに放射状に第一区画（△ＰＧＯ・１１）と第二区画（△ＧＲＯ・１２）と第三区画（△ＲＡＯ・１３）と第四区画（△ＡＱＯ・１４）と第五区画（△ＱＢＯ・１５）と第六区画（△ＢＳＯ・１６）と第七区画（△ＳＨＯ・１７）と第八区画（△ＨＰＯ・１８）の８個の区画（１１〜１８）に裏面が等分されている２枚の粘着施工性タイルカーペットを、それらの裏面を表向きにし、それらの区画の位置を変えずに側縁同士を突き合わせて並べ、その一方を裏返して他方に重ね合わせるとき、第一区画群の全ての区画（１１，１３，１５，１７）の全面が無塗着部位になっており、第二区画群の全ての区画（１２，１４，１６，１８）の何れかの部分が塗着部位となっていれば、その一方の第一区画群の第一区画（△ＰＧＯ・１１）の無塗着部位は他方の第二区画群の第四区画（△ＡＱＯ・１４）の塗着部位に、その一方の第二区画群の第二区画（△ＧＲＯ・１２）の塗着部位は他方の第一区画群の第三区画（△ＲＡＯ・１３）の無塗着部位に、その一方の第一区画群の第三区画（△ＲＡＯ・１３）の無塗着部位は他方の第二区画群の第二区画（△ＧＲＯ・１２）の塗着部位に、その一方の第二区画群の第四区画（△ＡＱＯ・１４）の塗着部位は他方の第一区画の第一区画（△ＰＧＯ・１１）の無塗着部位に、その一方の第一区画群の第五区画（△ＱＢＯ・１５）の無塗着部位は他方の第二区画群の第八区画（△ＨＰＯ・１８）の塗着部位に、その一方の第二区画群の第六区画（△ＢＳＯ・１６）の塗着部位は他方の第一区画群の第七区画（△ＳＨＯ・１７）の無塗着部位に、その一方の第一区画群の第七区画（△ＳＨＯ・１７）の無塗着部位は他方の第二区画群の第六区画（△ＢＳＯ・１６）の塗着部位に、その一方の第二区画群の第八区画（△ＨＰＯ・１８）の塗着部位は他方の第一区画群の第五区画（△ＱＢＯ・１５）の無塗着部位に、それぞれ重なり合うことになる。
そのように、一方の粘着施工性タイルカーペットの裏面の塗着部位が他方の粘着施工性タイルカーペットの裏面の無塗着部位に重なり合うことになるので、その重なり合った２枚の粘着施工性タイルカーペットを剥離することが出来る。
【００２４】
そして、本発明に係る粘着施工性タイルカーペットでは、向き合う側縁ＨＧ（ＧＡ）の中点Ｐ（Ｒ）と側縁ＡＢ（ＢＨ）の中点Ｑ（Ｓ）を結ぶ第一と第二との２本の２等分線ＰＱ（ＲＳ）と第一と第二との２本の対角線ＡＨ（ＧＢ）によって裏面が共通頂点Ｏの回りに放射状に８個の直角２等辺三角形状を成す区画（１１〜１８）に等分されており、その共通頂点Ｏで交わる各直角２等辺三角形状の区画（１１〜１８）の各二辺の各夾角が４５度であることから、そのタイルカーペットを共通頂点Ｏの回りに９０度回転して縦横の向きを変えるときは、変更前の無塗着部位の介在する第一区画群の第一区画（△ＰＧＯ・１１）は無塗着部位の介在する第一区画群の第三区画（△ＲＡＯ・１３）へと回転移動し、変更前の塗着部位の介在する第二区画群の第二区画（△ＧＲＯ・１２）は塗着部位の介在する第二区画群の第四区画（△ＡＱＯ・１４）へと回転移動し、変更前の無塗着部位の介在する第一区画群の第三区画（△ＲＡＯ・１３）は無塗着部位の介在する第一区画群の第五区画（△ＱＢＯ・１５）へと回転移動し、変更前の塗着部位の介在する第二区画群の第四区画（△ＡＱＯ・１４）は塗着部位の介在する第二区画群の第六区画（△ＢＳＯ・１６）へと回転移動し、変更前の無塗着部位の介在する第一区画群の第五区画（△ＱＢＯ・１５）は無塗着部位の介在する第一区画群の第七区画（△ＳＨＯ・１７）へと回転移動し、変更前の塗着部位の介在する第二区画群の第六区画（△ＢＳＯ・１６）は塗着部位の介在する第二区画群の第八区画（△ＨＰＯ・１８）へと回転移動し、変更前の無塗着部位の介在する第一区画群の第七区画（△ＳＨＯ・１７）は無塗着部位の介在する第一区画群の第一区画（△ＰＧＯ・１１）へと回転移動し、変更前の塗着部位の介在する第二区画群の第八区画（△ＨＰＯ・１８）は塗着部位の介在する第二区画群の第二区画（△ＧＲＯ・１２）へと回転移動する。
そのように、８個の区画（１１〜１８）が９０度回転移動して各区画の番号が変わっても、タイルカーペットの裏面に設けられた無塗着部位（第一区画群の区画１１，１３，１５，１７）と塗着部位（第二区画群の区画１２，１４，１６，１８）の配置の相互関係は変わらないので、２枚の粘着施工性タイルカーペットの中の一方のタイルカーペットの縦横の向きを変え、裏返して他方のタイルカーペットに重ね合わせても、一方の塗着部位は他方の無塗着部位に重なり合うことになり、結局、９０度回転移動しても回転移動しなくても同じことになる。
【００２５】
第一区画群（１１，１３，１５，１７）と第二区画群（１２，１４，１６，１８）との２つの区画群の中の何れか一方の区画群の４個の区画（１２，１４，１６，１８）の中の少なくとも１個の区画（１２）の内部が複数個の小区画（ｅ１，ｅ２）に細分されており、その複数個の小区画の中に塗着部位の介在する塗着小区画（ｅ１）と小区画の全面を無塗着部位が占める無塗着小区画（ｅ２）が介在し、その第一区画群と第二区画群との２つの区画群の中の何れか一方の区画群（１２，１４，１６，１８）の中の塗着小区画と無塗着小区画を含む複数個の小区画に細分されている区画（１２）を間に挟む２本の分割線の中の２本の分割線（ＧＢ，ＲＳ）又は何れか１本の分割線（ＧＢ）を境界線として線対称に向き合う他方の区画群（１１，１３，１５，１７）の区画（１１と１３，又は１１）の内部に前記一方の区画群（１２，１４，１６，１８）の中の塗着小区画と無塗着小区画を含む複数個の小区画に細分されている区画（１２）の中の無塗着小区画（ｅ２）に分割線（ＧＢとＲＳ，又はＧＢ）を境界線として線対称に向き合う部位が粘着剤が塗着されていない無塗着部位（ｆとｇ，又はｆ）となっている粘着施工性タイルカーペットでは、第一区画群（１１，１３，１５，１７）と第二区画群（１２，１４，１６，１８）との２つの区画群の中の何れか一方の区画群の４個の区画（１２，１４，１６，１８）の無塗着小区画（ｅ２）に剥離可能な塗着小区画となるべき他方の区画群（１１，１３，１５，１７）の区画の小区画（ｆとｇ，又はｆ）が、塗着小区画ではなく無塗着小区画になっており、剥離可能に重ね合わされるべき２枚の粘着施工性タイルカーペットの間の粘着力が、その塗着小区画が無塗着小区画に変わった分だけ弱まるとしても、第一区画群と第二区画群の各区画内の何れかの部位が塗着小区画か塗着部位となっているので、２枚の粘着施工性タイルカーペットの中の一方のタイルカーペットの縦横の向きを変え、裏返して他方のタイルカーペットに重ね合わせても、一方の塗着部位が他方の無塗着部位に重なり合い、２枚のタイルカーペットの一方を裏返して重ね合わせて梱包する際に縦横の方向を確認する必要がなく、施工時には２枚のタイルカーペットに剥離可能になる本発明所期の効果が損なわれることはない。
【００２６】
このように、第一区画群と第二区画群の何れか一方の区画群の４個の区画の無塗着小区画に剥離可能な塗着小区画となるべき他方の区画群の区画の小区画が、塗着小区画ではなく無塗着小区画になっていても、２枚の粘着施工性タイルカーペットの中の一方のタイルカーペットの縦横の向きを変え、裏返して他方のタイルカーペットに重ね合わせても、一方の塗着部位が他方の無塗着部位に重なり合い、２枚のタイルカーペットの一方を裏返して重ね合わせて梱包する際に縦横の方向を確認する必要がなく、施工時には２枚のタイルカーペットに剥離可能に重なり合う本発明の効果は、第一区画群と第二区画群の中の何れか一方の区画群の４個の区画の中の少なくとも１個の区画（１２）の内部が３個以上の複数個の小区画（ｅ１，ｅ２，ｅ３，ｅ４）に細分されており、その小区画（ｅ１，ｅ２，ｅ３，ｅ４）の中に塗着部位の介在する１個又は複数個の塗着小区画（ｅ１，ｅ４）と小区画の全面を無塗着部位が占める複数個の無塗着小区画（ｅ２，ｅ３）が介在し、その第一区画群と第二区画群との２つの区画群の中の何れか一方の区画群の中の塗着小区画と無塗着小区画を含む３個以上の複数個の小区画に細分されている区画（１２）を間に挟む２本の分割線の中の２本の分割線（ＧＢ，ＲＳ）又は何れか１本の分割線（ＧＢ）を境界線として線対称に向き合う他方の区画群（１１，１３，１５，１７）の区画（１１と１３，又は１１）の内部に前記一方の区画群（１２，１４，１６，１８）の中の塗着小区画と無塗着小区画を含む複数個の小区画に細分されている区画（１２）の中の１個の無塗着小区画（ｅ２）又は複数個の無塗着小区画（ｅ２，ｅ３）に分割線（ＧＢとＲＳ，又はＧＢ）を境界線として線対称に向き合う部位が粘着剤が塗着されていない無塗着部位（ｆ１，ｆ１とｇ１，ｆ２，ｆ２とｇ１，ｆ１とｆ２，ｆ１とｆ２とｇ１，ｆ１とｆ２とｇ２，ｆ１とｇ２，ｆ２とｇ２，ｇ１，ｇ２，ｆ１とｆ２とｇ１とｇ２）となる場合も同様である。
【００２７】
そのように、本発明によると、２枚のタイルカーペットの一方を裏返して重ね合わせて梱包する際に、それら２枚のタイルカーペットの縦横の方向を確認する必要がなく、施工時に２枚のタイルカーペットに剥離することが出来る粘着施工性タイルカーペットが得られる。
その粘着施工性タイルカーペットの裏面の粘着剤が塗着されていない無塗着部位を離形剤の塗膜に被覆しておくときは、施工時に２枚の粘着施工性タイルカーペットに剥離し易くなる。
そして、その粘着施工性タイルカーペットの裏面の等分されている８個の各２等辺三角形状区画（１１〜１８）の内部を、塗着部位と無塗着部位とによって８個以上の細かい小区画に細分しておくときは、凹凸のあるフリーアクセス床面に対しても高い固着力のある粘着施工性タイルカーペットが得られる。
【図面の簡単な説明】
【００２８】
【図１】本発明に係る粘着施工性タイルカーペットの裏面図である。
【図２】本発明に係る２枚の粘着施工性タイルカーペットの左右に並べられた状態での裏面図である。
【図３】図２に図示した２枚の粘着施工性タイルカーペットの一方を裏返して他方に裏面同士を向かい合わせに重ね合わせた状態での平面図である。
【図４】本発明に係る粘着施工性タイルカーペットの裏面図である。
【図５】本発明に係る粘着施工性タイルカーペットの裏面図である。
【図６】本発明に係る粘着施工性タイルカーペットの裏面図である。
【図７】従来の３枚の粘着施工性タイルカーペットの左右に並べられた状態での裏面図である。
【図８】従来の３枚の粘着施工性タイルカーペットの左右に並べられた状態での裏面図である。
【発明を実施するための形態】
【００２９】
図４と図５は、本発明に係る粘着施工性タイルカーペットの塗着部位と無塗着部位によって区分けされた裏面を図示し、塗着部位は霜降り模様状に点描され、無塗着部位は白地になっている。
【００３０】
図４（ａ）は、側縁ＨＧ（ＧＡ）の中点Ｐ（Ｒ）と側縁ＡＢ（ＢＨ）の中点Ｑ（Ｓ）を結ぶ第一と第二との２本の２等分線ＰＱ（ＲＳ）と第一と第二との２本の対角線ＡＨ（ＧＢ）によって裏面が共通頂点Ｏの回りに放射状に８個の直角２等辺三角形状を成す区画（１１〜１８）に等分された粘着施工性タイルカーペットの裏面を図示している。
その共通頂点Ｏの回りにそれぞれ１個の直角２等辺三角形状区画を挟んで交互に続く第一区画群の４個の各直角２等辺三角形状区画（１１，１３，１５，１７）は、その全面が粘着剤の塗着されていない無塗着部位となっている。
その第一区画群の各１個の直角２等辺三角形状区画（１１，１３，１５，１７）を間に挟んで共通頂点Ｏの回りに続く第二区画群の４個の各直角２等辺三角形状区画（１２，１４，１６，１８）は、その全面が粘着剤の塗着された塗着部位となっている。
図４（ａ）に示す２枚の粘着施工性タイルカーペットの一方を裏返して他方に重ね合わせると、その一方の第一区画群の第一区画（１１・ａ１）の無塗着部位は他方の第二区画群の第四区画（１４・ａ４）の塗着部位に、その一方の第二区画群の第二区画（１２・ａ２）の塗着部位は他方の第一区画群の第三区画（１３・ａ３）の無塗着部位に、その一方の第一区画群の第三区画（１３・ａ３）の無塗着部位は他方の第二区画群の第二区画（１２・ａ２）の塗着部位に、その一方の第二区画群の第四区画（１４・ａ４）の塗着部位は他方の第一区画の第一区画（１１・ａ１）の無塗着部位に、その一方の第一区画群の第五区画（１５・ａ５）の無塗着部位は他方の第二区画群の第八区画（１８・ａ８）の塗着部位に、その一方の第二区画群の第六区画（１６・ａ６）の塗着部位は他方の第一区画群の第七区画（１７・ａ７）の無塗着部位に、その一方の第一区画群の第七区画（１７・ａ７）の無塗着部位は他方の第二区画群の第六区画（１６・ａ６）の塗着部位に、その一方の第二区画群の第八区画（１８・ａ８）の塗着部位は他方の第一区画群の第五区画（１５・ａ５）の無塗着部位に、それぞれ重なり合うことになる。
そのように、一方の粘着施工性タイルカーペットの裏面の塗着部位が他方の粘着施工性タイルカーペットの裏面の無塗着部位に重なり合うことになるので、その重なり合った２枚の粘着施工性タイルカーペットを剥離することが出来る。
【００３１】
図４（ｂ）は、図４（ａ）に示す８個の各区画（１１〜１８）を無塗着部位と塗着部位との２個の小区画に細分された粘着施工性タイルカーペットの裏面を図示している。
即ち、第一区画（１１・ａ１）は、側縁ＨＧの中点Ｐと側縁ＧＡの中点Ｒを結ぶ正方形ＰＧＲＯの対角線ＰＲによって無塗着部位ａ１と塗着部位ｂ１に細分され、第二区画（１２・ａ２）は、側縁ＨＧの中点Ｐと側縁ＧＡの中点Ｒを結ぶ正方形ＰＧＲＯの対角線ＰＲによって無塗着部位ｂ２と塗着部位ａ２に細分され、第三区画（１３・ａ３）は、側縁ＧＡの中点Ｒと側縁ＡＢの中点Ｑを結ぶ正方形ＲＡＱＯの対角線ＲＱによって無塗着部位ａ３と塗着部位ｂ３に細分され、第四区画（１４・ａ４）は、側縁ＧＡの中点Ｒと側縁ＡＢの中点Ｑを結ぶ正方形ＲＡＱＯの対角線ＲＱによって無塗着部位ｂ４と塗着部位ａ４に細分され、第五区画（１５・ａ５）は、側縁ＡＢの中点Ｑと側縁ＢＨの中点Ｓを結ぶ正方形ＱＢＳＯの対角線ＱＳによって無塗着部位ａ５と塗着部位ｂ５に細分され、第六区画（１６・ａ６）は、側縁ＡＢの中点Ｑと側縁ＢＨの中点Ｓを結ぶ正方形ＱＢＳＯの対角線ＱＳによって無塗着部位ｂ６と塗着部位ａ６に細分され、第七区画（１７・ａ７）は、側縁ＢＨの中点Ｓと側縁ＨＧの中点Ｐを結ぶ正方形ＳＨＰＯの対角線ＳＰによって無塗着部位ａ７と塗着部位ｂ７に細分され、第八区画（１８・ａ８）は、側縁ＢＨの中点Ｓと側縁ＨＧの中点Ｐを結ぶ正方形ＳＨＰＯの対角線ＳＰによって無塗着部位ｂ８と塗着部位ａ８に細分されている。
図４（ｂ）に示す２枚の粘着施工性タイルカーペットの一方を裏返して他方に重ね合わせると、その一方の第一区画群の第一区画（１１）の無塗着部位ａ１は他方の第二区画群の第四区画（１４）の塗着部位ａ４に、その一方の第一区画群の第一区画（１１）の塗着部位ｂ１は他方の第二区画群の第四区画（１４）の無塗着部位ｂ４に、その一方の第二区画群の第二区画（１２）の塗着部位ａ１は他方の第一区画群の第三区画（１３）の無塗着部位ａ３に、その一方の第二区画群の第二区画（１２）の無塗着部位ｂ２は他方の第一区画群の第三区画（１３）の塗着部位ｂ３に、その一方の第一区画群の第三区画（１３）の無塗着部位ａ３は他方の第二区画群の第二区画（１２）の塗着部位ａ２に、その一方の第一区画群の第三区画（１３）の塗着部位ｂ３は他方の第二区画群の第二区画（１２）の塗着部位ｂ２に、その一方の第二区画群の第四区画（１４）の塗着部位ａ４は他方の第一区画の第一区画（１１）の無塗着部位ａ１に、その一方の第二区画群の第四区画（１４）の無塗着部位ｂ４は他方の第一区画の第一区画（１１）の塗着部位ｂ１に、その一方の第一区画群の第五区画（１５）の無塗着部位ａ５は他方の第二区画群の第八区画（１８）の塗着部位ａ８に、その一方の第一区画群の第五区画（１５）の塗着部位ｂ５は他方の第二区画群の第八区画（１８）の無塗着部位ｂ８に、その一方の第二区画群の第六区画（１６）の塗着部位ａ６は他方の第一区画群の第七区画（１７）の無塗着部位ａ７に、その一方の第二区画群の第六区画（１６）の無塗着部位ｂ６は他方の第一区画群の第七区画（１７）の塗着部位ｂ７に、その一方の第一区画群の第七区画（１７）の無塗着部位ａ７は他方の第二区画群の第六区画（１６）の塗着部位ａ６に、その一方の第一区画群の第七区画（１７）の塗着部位ｂ７は他方の第二区画群の第六区画（１６）の無塗着部位ｂ６に、その一方の第二区画群の第八区画（１８）の塗着部位ａ８は他方の第一区画群の第五区画（１５）の無塗着部位ａ５に、その一方の第二区画群の第八区画（１８）の無塗着部位ｂ８は他方の第一区画群の第五区画（１５）の塗着部位ｂ５に、それぞれ重なり合うことになる。
そのように、一方の粘着施工性タイルカーペットの裏面の塗着部位が他方の粘着施工性タイルカーペットの裏面の無塗着部位に重なり合うことになるので、その重なり合った２枚の粘着施工性タイルカーペットを剥離することが出来る。
【００３２】
図４（ｃ）は、図４（ａ）に示す８個の各区画（１１〜１８）を２個の無塗着部位と２個の塗着部位との合計４個の小区画に細分された粘着施工性タイルカーペットの裏面を図示している。
即ち、図４（ａ）に示す第一区画（１１・ａ１）と第二区画（１２・ａ２）は、それぞれ、側縁ＨＧの中点Ｐと側縁ＧＡの中点Ｒを結ぶ正方形ＰＧＲＯの対角線ＰＲ、および、側縁ＨＧに平行な側縁ＧＲの中点と側縁ＳＨの中点を結ぶ平行線、並びに、側縁ＧＡに平行な側縁ＰＧの中点と側縁ＡＱの中点を結ぶ平行線によって仕切られる２個の無塗着部位と２個の塗着部位との合計４個の小区画に細分されている。
図４（ａ）に示す第三区画（１３・ａ３）と第四区画（１４・ａ４）は、それぞれ、側縁ＧＡの中点Ｒと側縁ＡＢの中点Ｑを結ぶ正方形ＲＡＱＯの対角線ＲＱ、および、側縁ＡＢに平行な側縁ＲＡの中点と側縁ＢＳの中点を結ぶ平行線、並びに、側縁ＧＡに平行な側縁ＰＧの中点と側縁ＡＱの中点を結ぶ平行線によって仕切られる２個の無塗着部位と２個の塗着部位との合計４個の小区画に細分されている。
図４（ａ）に示す第五区画（１５・ａ５）と第六区画（１６・ａ６）は、それぞれ、側縁ＡＢの中点Ｑと側縁ＢＨの中点Ｓを結ぶ正方形ＱＢＳＯの対角線ＱＳ、および、側縁ＡＢに平行な側縁ＲＡの中点と側縁ＢＳの中点を結ぶ平行線、並びに、側縁ＢＨに平行な側縁ＱＢの中点と側縁ＨＰの中点を結ぶ平行線によって仕切られる２個の無塗着部位と２個の塗着部位との合計４個の小区画に細分されている。
図４（ａ）に示す第七区画（１７・ａ７）と第八区画（１８・ａ８）は、それぞれ、側縁ＢＨの中点Ｓと側縁ＨＧの中点Ｐを結ぶ正方形ＳＨＰＯの対角線ＳＰ、および、側縁ＢＨに平行な側縁ＱＢの中点と側縁ＨＰの中点を結ぶ平行線、並びに、側縁ＨＧに平行な側縁ＧＲの中点と側縁ＳＨの中点を結ぶ平行線によって仕切られる２個の無塗着部位と２個の塗着部位との合計４個の小区画に細分されている。
図４（ｃ）に示す２枚の粘着施工性タイルカーペットの一方を裏返して他方に重ね合わせると、図４（ｂ）に示す粘着施工性タイルカーペットと同様に、一方の各小区画の塗着部位は他方の小区画の無塗着部位に、又、一方の各小区画の無塗着部位は他方の小区画の塗着部位に重なり合い、その重なり合った２枚の粘着施工性タイルカーペットの間が剥離可能になる。
【００３３】
図４（ｄ）は、図４（ａ）に示す８個の各区画（１１〜１８）を１個又は２個の無塗着部位と１個又は２個の塗着部位との合計３個の小区画に細分された粘着施工性タイルカーペットの裏面を図示している。
即ち、図４（ａ）に示す第一区画（１１・ａ１）と第二区画（１２・ａ２）は、それぞれ、側縁ＨＧに平行な側縁ＧＲの中点と側縁ＳＨの中点を結ぶ平行線、および、側縁ＧＡに平行な側縁ＰＧの中点と側縁ＡＱの中点を結ぶ平行線によって仕切られる２個の直角２等辺三角形状小区画と１個の正方形小区画との合計３個の小区画に細分されている。
図４（ａ）に示す第三区画（１３・ａ３）と第四区画（１４・ａ４）は、それぞれ、側縁ＡＢに平行な側縁ＲＡの中点と側縁ＢＳの中点を結ぶ平行線、および、側縁ＧＡに平行な側縁ＰＧの中点と側縁ＡＱの中点を結ぶ平行線によって仕切られる２個の直角２等辺三角形状小区画と１個の正方形小区画との合計３個の小区画に細分されている。
図４（ａ）に示す第五区画（１５・ａ５）と第六区画（１６・ａ６）は、それぞれ、側縁ＡＢに平行な側縁ＲＡの中点と側縁ＢＳの中点を結ぶ平行線、および、側縁ＢＨに平行な側縁ＱＢの中点と側縁ＨＰの中点を結ぶ平行線によって仕切られる２個の直角２等辺三角形状小区画と１個の正方形小区画との合計３個の小区画に細分されている。
図４（ａ）に示す第七区画（１７・ａ７）と第八区画（１８・ａ８）は、それぞれ、側縁ＢＨに平行な側縁ＱＢの中点と側縁ＨＰの中点を結ぶ平行線、および、側縁ＨＧに平行な側縁ＧＲの中点と側縁ＳＨの中点を結ぶ平行線によって仕切られる２個の直角２等辺三角形状小区画と１個の正方形小区画との合計３個の小区画に細分されている。
図４（ｄ）に示す２枚の粘着施工性タイルカーペットの一方を裏返して他方に重ね合わせると、図４（ｂ）と図４（ｃ）に示す粘着施工性タイルカーペットと同様に、一方の各小区画の塗着部位は他方の小区画の無塗着部位に、又、一方の各小区画の無塗着部位は他方の小区画の塗着部位に重なり合い、その重なり合った２枚の粘着施工性タイルカーペットの間が剥離可能になる。
【００３４】
図４（ｅ）は、図４（ａ）に示す８個の各区画（１１〜１８）がそれぞれ３個の小区画に細分された図４（ｄ）に示す粘着施工性タイルカーペットの変形例を示し、図４（ｄ）に示す第一区画（１１）と第二区画（１２）、第三区画（１３）と第四区画（１４）と、第五区画（１５）と第六区画（１６）と、第七区画（１７）と第八区画（１８）の各区画の１個の直角２等辺三角形状小区画の形状は矢印形状に、又、正方形小区画は長方形に変形している。
【００３５】
図４（ｆ）は、図４（ａ）に示す８個の各区画（１１〜１８）が４個の小区画に細分された図４（ｃ）に示す粘着施工性タイルカーペットの変形例を示し、図４（ｃ）の各区画（１１〜１８）を細分している４個の小区画は、２個の直角２等辺三角形状小区画と２個の台形小区画に変形している。
【００３６】
図５（ｇ）は、図４（ａ）に示す８個の各区画（１１〜１８）の無塗着部位と塗着部位が半円形状小区画と半円形打ち抜き直角２等辺三角形状小区画から成る粘着施工性タイルカーペットを図示している。
図５（ｈ）と図５（ｉ）は、図４（ａ）に示す８個の各区画（１１〜１８）の無塗着部位と塗着部位が円形状小区画と円形打ち抜き直角２等辺三角形状小区画から成る粘着施工性タイルカーペットを図示している。
円形打ち抜き直角２等辺三角形状を成す塗着部位と直角２等辺三角形状を成す無塗着部位を向かい合わせに配置されている図５（ｉ）が示すように、それぞれ第一と第二との２本の２等分線ＰＱ（ＲＳ）と第一と第二との２本の対角線ＡＨ（ＧＢ）の全ての分割線を境に向き合う第一区画群の第一区画（１１）の無塗着部位と塗着部位の各輪郭と第二区画群の第二区画（１２）の無塗着部位と塗着部位の各輪郭、および、第二区画群の第二区画（１２）の無塗着部位と塗着部位の各輪郭と第一区画群の第三区画（１３）の無塗着部位と塗着部位の各輪郭、および、第一区画群の第三区画（１３）の無塗着部位と塗着部位の各輪郭と第二区画群の第四区画（１４）の無塗着部位と塗着部位の各輪郭、および、第二区画群の第四区画（１４）の無塗着部位と塗着部位の各輪郭と第一区画群の第五区画（１５）の無塗着部位と塗着部位の各輪郭、および、第一区画群の第五区画（１５）の無塗着部位と塗着部位の各輪郭と第二区画群の第六区画（１６）の無塗着部位と塗着部位の各輪郭、および、第二区画群の第六区画（１６）の無塗着部位と塗着部位の各輪郭と第一区画群の第七区画（１７）の無塗着部位と塗着部位の各輪郭、および、第一区画群の第七区画（１７）の無塗着部位と塗着部位の各輪郭と第二区画群の第八区画（１８）の無塗着部位と塗着部位の各輪郭、および、第二区画群の第八区画（１８）の無塗着部位と塗着部位の各輪郭と第一区画群の第一区画（１１）の無塗着部位と塗着部位の各輪郭は、それらが互いに向き合う分割線を境に線対称図形にする必要はない。
【００３７】
即ち、隣り合う無塗着部位と塗着部位を分割線を境に線対称にするとしても、その隣り合う無塗着部位の輪郭と塗着部位の輪郭を分割線を境に線対称図形にする必要はない。
更に詳しく説明すると、隣り合う無塗着部位と塗着部位がそれぞれ分割線を境に線対称となる区画内に収まっていれば、その無塗着部位と塗着部位の一方の輪郭を三角形とし他方の輪郭を四角形にすることも出来る。
【００３８】
図５（ｊ）に図示する粘着施工性タイルカーペットでは、無塗着部位と塗着部位が市松模様状に配置されている。
図５（ｋ）に図示する粘着施工性タイルカーペットでは、無塗着部位と塗着部位が縞模様状に配置されている。
図５（ｌ）に図示する粘着施工性タイルカーペットでは、無塗着部位と塗着部位が日章旗状に配置されている。
図４と図５が示すように、無塗着部位と塗着部位は、種々の模様状に配置し、粘着施工性タイルカーペットのデザイン性を高めることが出来る。
【００３９】
図４（ａ〜ｆ）と図５（ｇ〜ｈ，ｊ〜ｌ）では、粘着施工性タイルカーペットの裏面に占める無塗着部位と塗着部位は同じ面積比率になっている。
しかし、図５（ｉ）に示す粘着施工性タイルカーペットの裏面では、無塗着部位の面積比率が塗着部位の面積比率よりも大きくなっている。
その図５（ｉ）が示すように、粘着施工性タイルカーペットの裏面に占める無塗着部位の面積比率を塗着部位の面積比率よりも若干大きくしておくと、梱包するために裏面同士を向かい合わせる２枚の粘着施工性タイルカーペットと粘着施工性タイルカーペットの間に多少の位置ズレがあっても、塗着部位同士が重なり合う危険が避けられる。
【００４０】
図６（ｍ）は、第一区画群（１１，１３，１５，１７）と第二区画群（１２，１４，１６，１８）との２つの区画群の中の第二区画群の４個の区画（１２，１４，１６，１８）の中の１個の区画（１２）の内部が２個の小区画（ｅ１，ｅ２）に細分されており、その２個の小区画は塗着部位の介在する塗着小区画（ｅ１）と全面を無塗着部位が占める無塗着小区画（ｅ２）になっており、その第二区画群の区画（１２）を間に挟む２本の分割線（ＧＢ，ＲＳ）境界線として線対称に向き合う第一区画群の区画（１１と１３）の内部に、第二区画群の区画（１２）の中の無塗着小区画（ｅ２）に分割線（ＧＢとＲＳ）を境界線としてそれぞれ線対称に向き合う無塗着部位（ｆとｇ）が介在している粘着施工性タイルカーペットを図示している。
【００４１】
図６（ｎ）は、第一区画群（１１，１３，１５，１７）と第二区画群（１２，１４，１６，１８）との２つの区画群の中の第二区画群の４個の区画（１２，１４，１６，１８）の中の１個の区画（１２）の内部が２個の小区画（ｅ１，ｅ２）に細分されており、その２個の小区画は塗着部位の介在する塗着小区画（ｅ１）と全面を無塗着部位が占める無塗着小区画（ｅ２）になっており、その第二区画群の区画（１２）を間に挟む２本の分割線（ＧＢ，ＲＳ）の中の１本の分割線（ＧＢ）を境界線として線対称に向き合う第一区画群の区画（１１）の内部に、第二区画群の区画（１２）の中の無塗着小区画（ｅ２）に分割線（ＧＢ）を境界線として線対称に向き合う無塗着部位（ｆ）が介在している粘着施工性タイルカーペットを図示している。
【００４２】
図６（ｏ）は、第一区画群（１１，１３，１５，１７）と第二区画群（１２，１４，１６，１８）との２つの区画群の中の第二区画群の４個の区画（１２，１４，１６，１８）の中の１個の区画（１２）の内部が４個の小区画（ｅ１，ｅ２，ｅ３，ｅ４）に細分されており、その４個の小区画の中の２個の小区画（ｅ１，ｅ４）は塗着部位の介在する塗着小区画であり、残りの２個の小区画（ｅ２，ｅ３）は全面が無塗着部位に占められる無塗着小区画になっており、その第二区画群の区画（１２）を間に挟む２本の分割線（ＧＢ，ＲＳ）を境界線として線対称に向き合う第一区画群の区画（１１と１３）の内部に、第二区画群の区画（１２）の中の無塗着小区画（ｅ２）に分割線（ＧＢとＲＳ）を境界線としてそれぞれ線対称に向き合う無塗着部位（ｆ１とｇ１）が介在している粘着施工性タイルカーペットを図示している。
【００４３】
図６（ｐ）は、第一区画群（１１，１３，１５，１７）と第二区画群（１２，１４，１６，１８）との２つの区画群の中の第二区画群の４個の区画（１２，１４，１６，１８）の中の１個の区画（１２）の内部が４個の小区画（ｅ１，ｅ２，ｅ３，ｅ４）に細分されており、その４個の小区画の中の２個の小区画（ｅ１，ｅ４）は塗着部位の介在する塗着小区画であり、残りの２個の小区画（ｅ２，ｅ３）は全面が無塗着部位に占められる無塗着小区画になっており、その第二区画群の区画（１２）を間に挟む２本の分割線の中の１本の分割線（ＧＢ）を境界線として線対称に向き合う第一区画群の区画（１１）の内部に、第二区画群の区画（１２）の中の２個の無塗着小区画（ｅ２，ｅ３）に対して線対称に向き合う２個の無塗着部位（ｆ１とｆ２）が介在し、その第二区画群の区画（１２）を間に挟む２本の分割線の中の他のもう１本の分割線（ＲＳ）を境界線として線対称に向き合う第一区画群の区画（１３）の内部には、第二区画群の区画（１２）の中の２個の無塗着小区画（ｅ２，ｅ３）に対して線対称に向き合う２個の無塗着部位（ｇ１とｇ２）が介在している粘着施工性タイルカーペットを図示している。
【００４４】
図６（ｑ）は、周囲が４つの側縁（ＨＧ，ＧＡ，ＡＢ，ＢＨ）に縁取られて正方形（ＨＧＡＢ）を成す粘着施工性タイルカーペットの周囲を縁取る４つの側縁（ＨＧ，ＧＡ，ＡＢ，ＢＨ）の中の１つの向き合う側縁（ＨＧ）の中点Ｐと側縁（ＡＢ）の中点Ｑを結んで正方形（ＨＧＡＢ）を２等分する第一２等分線（ＰＱ）と、もう１つの向き合う側縁（ＧＡ）の中点Ｒと側縁（ＢＨ）の中点Ｓを結んで正方形（ＨＧＡＢ）を２等分する第二２等分線（ＲＳ）と、正方形（ＨＧＡＢ）を２等分する第一対角線（ＡＨ）と第二対角線（ＧＢ）との２本の対角線によって直角２等辺三角形状を成す第一区画（１１）と第二区画（１２）と第三区画（１３）と第四区画（１４）と第五区画（１５）と第六区画（１６）と第七区画（１７）と第八区画（１８）の８個の区画に等分された粘着施工性タイルカーペットの裏面を図示している。
【００４５】
その８個の直角２等辺三角形状区画（１１〜１８）は、正方形（ＨＧＡＢ）の中心点（Ｏ）の回りにそれぞれ１個の直角２等辺三角形状区画を挟んで交互に続く４個の直角２等辺三角形状区画（１１，１３，１５，１７）から成る第一区画群と、その第一区画群の中の１個の直角２等辺三角形状区画を挟んで交互に続く残りの４個の直角２等辺三角形状区画（１２，１４，１６，１８）から成る第二区画群に分けられている。
その第一区画群と第二区画群の各４個の各区画の内部は、それぞれ４個の直角２等辺三角形状小区画と６個の正方形状小区画とから成り、塗着小区画と無塗着小区画が隣り合う合計１０個の小区画に細分されている。
【００４６】
その第一区画群と第二区画群との２つの区画群の中の一方の区画群の中の塗着小区画と無塗着小区画を含む１０個の小区画に細分されている区画を間に挟む２本の分割線の中の２本の分割線をそれぞれ境界線として線対称に向き合う他方の区画群の区画の内部には、その一方の区画群の中の１０小区画に細分されている区画の中の１個の無塗着小区画に分割線を境界線として線対称に向き合う無塗着部位が介在している。
【００４７】
即ち、第一区画群の区画（１１）の１個の無塗着小区画（ｆ１）に対して第二対角線（ＧＢ）を間に挟んで線対称に向き合う第二区画群の区画（１２）の部位は無塗着小区画（ｅ１）になっている。
その第二区画群の区画（１２）の無塗着小区画（ｅ１）に対して第二２等分線（ＲＳ）を間に挟んで線対称に向き合う第一区画群の区画（１３）の部位は無塗着小区画（ｇ１）になっている。
その第一区画群の区画（１３）の無塗着小区画（ｇ１）に対して第一対角線（ＡＨ）を間に挟んで線対称に向き合う第二区画群の区画（１４）の部位は無塗着小区画（ｈ１）になっている。
その第二区画群の区画（１４）の無塗着小区画（ｈ１）に対して第一２等分線（ＰＱ）を間に挟んで線対称に向き合う第一区画群の区画（１５）の部位は無塗着小区画（ｉ１）になっている。
その第一区画群の区画（１５）の無塗着小区画（ｉ１）に対して第二対角線（ＧＢ）を間に挟んで線対称に向き合う第二区画群の区画（１６）の部位は無塗着小区画（ｊ１）になっている。
その第二区画群の区画（１６）の無塗着小区画（ｊ１）に対して第二２等分線（ＲＳ）を間に挟んで線対称に向き合う第一区画群の区画（１７）の部位は無塗着小区画（ｋ１）になっている。
その第一区画群の区画（１７）の無塗着小区画（ｋ１）に対して第一対角線（ＡＨ）を間に挟んで線対称に向き合う第二区画群の区画（１８）の部位は無塗着小区画（ｔ１）になっている。
しかして、その第二区画群の区画（１８）の無塗着小区画（ｔ１）に対して第一２等分線（ＰＱ）を間に挟んで線対称に向き合う第一区画群の区画（１１）の部位は無塗着小区画（ｆ１）となる。
【００４８】
図６（ｒ）は、第一区画群と第二区画群との２つの区画群の中の一方の区画群の中の塗着小区画と無塗着小区画を含む１０個の小区画に細分されている区画を間に挟む２本の分割線をそれぞれ境界線として線対称に向き合う他方の区画群の区画の内部が、その一方の区画群の中の１０小区画に細分されている区画の中の２個の無塗着小区画に分割線を境界線として線対称に向き合う２つの無塗着部位が介在している粘着施工性タイルカーペットの裏面を図示している。
【００４９】
即ち、第一区画群の区画（１１）の２個の無塗着小区画（ｆ１，ｆ２）に対して第二対角線（ＧＢ）を間に挟んで線対称に向き合う第二区画群の区画（１２）の部位は無塗着小区画（ｅ１，ｅ２）になっている。
その第二区画群の区画（１２）の２個の無塗着小区画（ｅ１，ｅ２）に対して第二２等分線（ＲＳ）を間に挟んで線対称に向き合う第一区画群の区画（１３）の部位は無塗着小区画（ｇ１，ｇ２）になっている。
その第一区画群の区画（１３）の２個の無塗着小区画（ｇ１，ｇ２）に対して第一対角線（ＡＨ）を間に挟んで線対称に向き合う第二区画群の区画（１４）の部位は無塗着小区画（ｈ１，ｈ２）になっている。
その第二区画群の区画（１４）の２個の無塗着小区画（ｈ１，ｈ２）に対して第一２等分線（ＰＱ）を間に挟んで線対称に向き合う第一区画群の区画（１５）の部位は無塗着小区画（ｉ１，ｉ２）になっている。
その第一区画群の区画（１５）の２個の無塗着小区画（ｉ１，ｉ２）に対して第二対角線（ＧＢ）を間に挟んで線対称に向き合う第二区画群の区画（１６）の部位は無塗着小区画（ｊ１，ｊ２）になっている。
その第二区画群の区画（１６）の２個の無塗着小区画（ｊ１，ｊ２）に対して第二２等分線（ＲＳ）を間に挟んで線対称に向き合う第一区画群の区画（１７）の部位は無塗着小区画（ｋ１，ｋ２）になっている。
その第一区画群の区画（１７）の２個の無塗着小区画（ｋ１，ｋ２）に対して第一対角線（ＡＨ）を間に挟んで線対称に向き合う第二区画群の区画（１８）の部位は無塗着小区画（ｔ１，ｔ２）になっている。
しかして、その第二区画群の区画（１８）の２個の無塗着小区画（ｔ１，ｔ２）に対して第一２等分線（ＰＱ）を間に挟んで線対称に向き合う第一区画群の区画（１１）の部位は２個の無塗着小区画（ｆ１，ｆ２）となる。
【００５０】
図１と図２と図３は、無塗着部位と塗着部位がダーツ（的）模様状に配置された粘着施工性タイルカーペットの裏面を図示する。
粘着施工性タイルカーペットの裏面は、向き合う側縁ＨＧの中点Ｐと側縁ＡＢの中点Ｑを結んで正方形ＨＧＡＢを２等分する第一２等分線ＰＱと、他の向き合う側縁ＧＡの中点Ｒと側縁ＢＨの中点Ｓを結んで正方形ＨＧＡＢを２等分する第二２等分線ＲＳと、正方形ＨＧＡＢを２等分する第一対角線ＡＨと第二対角線ＡＨとの２本の対角線によって、中心点を共通頂点Ｏとして直角２等辺三角形状を成す第一区画（１１）と第二区画（１２）と第三区画（１３）と第四区画（１４）と第五区画（１５）と第六区画（１６）と第七区画（１７）と第八区画（１８）の８個の区画（１１〜１８）に等分されている。
【００５１】
それら８個の各区画は、図１に図示するように、粘着施工性タイルカーペットの周囲を縁取るボーダーａと、ボーダーａの内側に描かれた１０個の同心円ｂとｃとｄとｅとｆとｇとｈとｉとｊとｋによって、１１個の小区画ａ１（ａ２，ａ３，ａ４，………  ）とｂ１（ｂ２，ｂ３，ｂ４，………  ）とｃ１（ｃ２，ｃ３，ｃ４，………  ）とｄ１（ｄ２，ｄ３，ｄ４，………  ）とｅ１（ｅ２，ｅ３，ｅ４，………  ）とｆ１（ｆ２，ｆ３，ｆ４，………  ）とｇ１（ｇ２，ｇ３，ｇ４，………  ）とｈ１（ｈ２，ｈ３，ｈ４，………  ）とｉ１（ｉ２，ｉ３，ｉ４，………  ）とｊ１（ｊ２，ｊ３，ｊ４，………  ）とｋ１（ｋ２，ｋ３，ａ４，………  ）とｍ１（ｍ２，ｍ３，ｍ４，………  ）に細分されている。
【００５２】
その細分された第一区画（１１）と第二区画（１２）と第三区画（１３）と第四区画（１４）と第五区画（１５）と第六区画（１６）と第七区画（１７）と第八区画（１８）の各小区画は、図１に霜降り模様状に点描して図示するように、それら８個の各区画内で隣り合う小区画の間が無塗着部位と塗着部位によって区分けされ、且つ、それぞれ第一２等分線ＰＱと第二２等分線ＲＳと第一対角線ＡＨと第二対角線ＡＨの全ての分割線を境に隣り合う区画と区画の間が無塗着部位と塗着部位によって区分けされるように、粘着剤が塗着される。
【００５３】
そのように粘着剤が塗着された粘着施工性タイルカーペットの裏面では、図４と図５に図示される粘着施工性タイルカーペットの裏面と同様に、第一２等分線ＰＱと第二２等分線ＲＳと第一対角線ＡＨと第二対角線ＡＨの全ての分割線を境に隣り合う区画と区画の間で無塗着部位と塗着部位が線対称になり、且つ、共通頂点Ｏの回りに９０度回転して縦横の向きを変えるときは、９０度回転移動後の無塗着部位は９０度回転移動前の無塗着部位に入れ代わり、９０度回転移動後の塗着部位は９０度回転移動前の塗着部位に入れ代わることになるので、図３に図示するように縦横の方向を確認することなく裏面同士を重ね合わせて２枚の粘着施工性タイルカーペットを梱包しても、施工時に２枚の粘着施工性タイルカーペットの間が剥離可能になる。
【００５４】
図３は、図２に図示する２枚の粘着施工性タイルカーペットを、それらの向かい合う側縁ＡＢと側縁ＣＤを突き合わせ、図２（ｂ）に図示する粘着施工性タイルカーペットを裏返して図２（ａ）に図示する粘着施工性タイルカーペットに重ね合わせた２枚１組の粘着施工性タイルカーペットを図示している。
図３において、図２（ａ）に図示する第一区画の無塗着部位（ｂ１，ｄ１，………  ）の上には図２（ｂ）に図示する第四区画の塗着部位（ｂ４’，ｄ４’，………  ）が重なり、図２（ａ）に図示する第一区画の塗着部位（ａ１，ｃ１，………  ）の上には図２（ｂ）に図示する第四区画の無塗着部位（ａ４’，ｃ４’，………  ）が重なり、図２（ａ）に図示する第二区画の塗着部位（ｂ２，ｄ２，………  ）の上には図２（ｂ）に図示する第三区画の無塗着部位（ｂ４’，ｄ４’，………  ）が重なり、図２（ａ）に図示する第二区画の塗着部位（ａ２，ｃ２，………  ）の上には図２（ｂ）に図示する第三区画の無塗着部位（ａ４’，ｃ４’，………  ）が重なり、図２（ａ）に図示する第三区画の無塗着部位（ｂ３，ｄ３，………  ）の上には図２（ｂ）に図示する第二区画の塗着部位（ｂ２’，ｄ２’，………  ）が重なり、図２（ａ）に図示する第三区画の塗着部位（ａ３，ｃ３，………  ）の上には図２（ｂ）に図示する第二区画の無塗着部位（ａ２’，ｃ２’，………  ）が重なり、図２（ａ）に図示する第四区画の塗着部位（ｂ４，ｄ４，………  ）の上には図２（ｂ）に図示する第一区画の無塗着部位（ｂ１’，ｄ１’，………
）が重なり、図２（ａ）に図示する第四区画の無塗着部位（ａ４，ｃ４，………  ）の上には図２（ｂ）に図示する第一区画の塗着部位（ａ１’，ｃ１’，………  ）が重なっている。
【００５５】
同様に、図２（ａ）に図示する第五乃至第八区画の無塗着部位の上には図２（ｂ）に図示する第五乃至第八区画の塗着部位が重なり、図２（ａ）に図示する第五乃至第八区画の塗着部位の上には図２（ｂ）に図示する第五乃至第八区画の無塗着部位が重なる。
【００５６】
放射状に８個の区画に等分された各区画内部を図５（ｊ）に図示する市松模様状や図１〜図３に図示するダーツ模様状に８個以上の小区画に細分する場合、梱包に際して重ね合わせる２枚の粘着施工性タイルカーペットと粘着施工性タイルカーペットの間に多少の位置ズレがあっても塗着部位同士が触れ合うことがないように、霜降り模様状に点描して図示する塗着部位の面積比率を白地のままの無塗着部位の面積比率よりも若干狭くする方が好ましい。
【産業上の利用可能性】
【００５７】
本発明に係る粘着施工性タイルカーペットは、壁面にも接着施工することも出来る。
【符号の説明】
【００５８】
１１〜１８：２本の２等分線と２本の対角線で仕切られる粘着施工性タイルカーペットの裏面の区画
【図１】
0005627021.tif 000002
【図２】
0005627021.tif 000003
【図３】
0005627021.tif 000004
【図４】
0005627021.tif 000005
【図５】
0005627021.tif 000006
【図６】
0005627021.tif 000007
【図７】
0005627021.tif 000008
【図８】
0005627021.tif 000009